(57)【要約】開示する実施形態は、薬液自動注入器のためのシリンジ装着具を提供する。シリンジ装着具は、薬液自動注入器の駆動が、シリンジから薬液を排出するために、シリンジのプランジャを移動することが可能であるように、シリンジを保持するように設計される。シリンジ装着具は、第１の弓状表面を備える第１のシリンジクランプと、第２の弓状表面を備える第２のシリンジクランプとを備え、第１および第２のシリンジクランプは、第１の弓状表面が第２の弓状表面に対向するように相互に反対の関係にあり、第１および第２のシリンジクランプは、それらの間に位置するシリンジを係合および係脱するために、相互に向かって、および相互に離隔して反対線形方向に平行移動するように適合される。
2011505910.tif 000002
【特許請求の範囲】
【請求項１】
前部装填式造影剤注入器であって、
自身の中に画定される開口を有する注入器筐体と、
駆動ラムであって、その少なくとも一部分は、該注入器筐体の該開口を通って、該駆動ラムの長手方向基準軸に沿って該注入器筐体の内部および外部に移動可能である駆動ラムと、
該筐体に連結され、かつ
第１の弓状表面を備える第１のシリンジクランプと、
第２の弓状表面を備える第２のシリンジクランプと
を備え、該第１および第２のシリンジクランプは相互に反対の関係にあり、それにより、該第１の弓状表面が該第２の弓状表面に対向し、該第１および第２のシリンジクランプは、それらの間に位置するシリンジを係合および係脱するために、相互に向かって、および相互から離隔して、反対線形方向に平行移動する、シリンジ装着具と
を備える、前部装填式造影剤注入器。
【請求項２】
開口部は、シリンジのプランジャを前記駆動ラムと整列するために、前記第１のシリンジクランプと前記第２のシリンジクランプとの間で画定される、請求項１に記載の注入器。
【請求項３】
前記第１および第２のシリンジクランプの各々は、Ｃ形クランプを備える、請求項１または２に記載の注入器。
【請求項４】
前記第１および第２のシリンジクランプは、シリンジの円周部分の周りで開放および閉鎖するように構成される、請求項１から３のいずれかに記載の注入器。
【請求項５】
前記第１および第２のシリンジクランプがシリンジの円周部分の周囲で閉鎖される場合に、該第１および第２のシリンジクランプは相互に接触する、請求項４に記載の注入器。
【請求項６】
シリンジ係合位置とシリンジ係脱位置との間で、前記第１および第２のシリンジクランプを作動するように構成されるレバーを備える、請求項１から５のいずれかに記載の注入器。
【請求項７】
前記シリンジ装着具は、レールを備え、前記第１および第２のシリンジクランプは、前記シリンジ係合位置と前記シリンジ係脱位置との間で該レールに沿って移動する、請求項６に記載の注入器。
【請求項８】
前記注入器筐体から離隔して外側に延出する細長いシリンジ支持部をさらに備える、請求項１から７のいずれかに記載の注入器。
【請求項９】
前記シリンジ装着具は、前記注入器の取り外し可能な面板の構成要素である、請求項１から８のいずれかに記載の注入器。
【請求項１０】
前記シリンジ装着具は、前記注入器筐体と実質的に一体的である、請求項１から８のいずれかに記載の注入器。
【請求項１１】
前記シリンジ装着具は、前記注入器の元のシリンジ装着具を、該元のシリンジ装着具が収容するように元々設計されていなかったシリンジを収容するように少なくとも一時的に適合させるための、アダプタの構成要素である、請求項１から８のいずれかに記載の注入器。
【請求項１２】
前記第１のシリンジクランプと前記第２のシリンジクランプとの間に配置されるシリンジをさらに備える、請求項１から１１のいずれかに記載の注入器。
【請求項１３】
前記シリンジ内に配置される造影剤、生理食塩水、またはそれらの組み合わせをさらに備える、請求項１２に記載の注入器。
【請求項１４】
自動造影剤注入器を使用する方法であって、該方法は、
該注入器の第１のシリンジクランプと第２のシリンジクランプとの間にシリンジの後方部分を配置することであって、該第１および第２のシリンジクランプの各々は弓状表面を備える、ことと、
該弓状表面の各々が該シリンジの該後方部分に少なくとも接触するまで、相互に向かって該第１および第２のシリンジクランプを平行移動することと
を含む、方法。
【請求項１５】
前記平行移動することの後に、前記第１および第２のシリンジクランプを実質的に固定するためにロックを作動すること
をさらに含む、請求項１４に記載の方法。
【請求項１６】
前記シリンジの前記後方端部が前記第１のシリンジクランプと前記第２のシリンジクランプとの間に配置される一方で、前記注入器に前記シリンジのプランジャを移動させること
をさらに含む、請求項１４または１５に記載の方法。
【請求項１７】
前記平行移動することは、前記第１および第２のシリンジクランプが相互に直接接触するまで発生する、請求項１４から１６のいずれかに記載の方法。
【請求項１８】
自動造影剤注入器を使用する方法であって、該方法は、
該注入器の第１および第２のシリンジクランプを、それらの間に配置されるシリンジの後方部分から離隔して平行移動することであって、該第１および第２のシリンジクランプは、該平行移動することの前に、該シリンジに接触する、ことと、
該第１のシリンジクランプと該第２のシリンジクランプとの間から該シリンジを移動することと
を含む、方法。
【請求項１９】
前記第１および第２のシリンジクランプの平行移動を可能にするために、クランプロックをロック解除することであって、該ロック解除することは、該平行移動することの前に発生する、請求項１８に記載の方法。
【請求項２０】
前記第１および第２のシリンジクランプは、前記平行移動することの前に、相互に直接接触する、請求項１８または１９に記載の方法。
【請求項２１】
前記平行移動することは、実質的に側方方向で発生する、請求項１４から２０のいずれかに記載の方法。
【請求項２２】
前記シリンジから造影剤および生理食塩水のうちの少なくとも１つを排出することをさらに含む、請求項１４から２１のいずれかに記載の方法。
【発明の詳細な説明】
【技術分野】
【０００１】
（関連出願）
本出願は、２００７年１２月７日に出願された「Ｐｏｗｅｒ  Ｉｎｊｅｃｔｏｒ  Ｓｙｒｉｎｇｅ  Ｍｏｕｎｔｉｎｇ  Ｓｙｓｔｅｍ」というタイトルの米国仮特許出願第６１／０１２，０９１号の優先権を主張する。
【０００２】
（本発明の分野）
本発明は、概して、薬液を注入する自動注入器に関し、より具体的には、シリンジを自動注入器上に装着するシステムおよび方法に関する。
【背景技術】
【０００３】
（背景）
本項は、以下に説明および／または請求する本発明の種々の局面に関連し得る技術に関する種々の局面を、読み手に紹介することを意図している。本説明は、本発明の種々の局面に関してより良い理解を促すための背景情報を読み手に提供するのに役立つと考えられる。したがって、これらの記述が、従来技術の承認としてではなく、この観点から読まれるべきものであることを理解されたい。
【発明の概要】
【発明が解決しようとする課題】
【０００４】
概して、自動注入器は、放射性医薬品または造影剤等の薬液を患者に注入するために使用される。例えば、薬液は、シリンジ内に配置されてもよく、シリンジは、自動注入器上に装着されてもよい。薬液を患者に注入する際、装着されたシリンジの後方に配置されるラムは、シリンジのプランジャを押圧し、それによって、流体がシリンジの先端側に押し出され、流体を患者に注入する。残念ながら、既存の自動注入器は、シリンジが装着され得る様式および／または自動注入器内に保持され得る様式に影響を及ぼし得る設計上の欠点を有し得る。このような設計上の不適切な点によって、注入過程の全体の質および／または効率が低下し得る。加えて、自動注入器に関連する設計上の欠点によって、医療介護提供者等のユーザが注入を投与する様式が複雑になり得る。
【課題を解決するための手段】
【０００５】
（概要）
本発明の一定の例示的局面について以下に記載する。これらの局面が、単に、本発明が取り得る一定の形式に関する概要を読み手に提供するためだけに提示され、本発明の範囲を限定することを意図されないことを理解されたい。当然ながら、本発明は、以下に記載され得ない多種多様の局面を包含してもよい。
【０００６】
本発明の第１の局面は、前部装填式造影剤注入器を対象とする（例えば、ＣＴ、ＭＲ、ＰＥＴ、ＳＰＥＣＴ、超音波、光学、または他の医療撮像処置等の医療撮像処置における使用のため）。本注入器は、駆動ラムと、駆動ラムがそこを通過するように設計される開口を有する注入器筐体とを含む。言い換えると、駆動ラムの少なくとも一部分は、注入器筐体における開口を通って、注入器筐体の内部および外部に移動可能である（例えば、駆動ラムの長手方向基準軸に沿って）。また、注入器は、注入器を利用して適切な薬液（例えば、造影剤、生理食塩水、またはそれらの組み合わせ）をシリンジから排出できるように、筐体に連結され、かつシリンジの保持を少なくとも支援するシリンジ装着具も含む。本シリンジ装着具は、第１の弓状表面を有する第１のシリンジクランプを含む。加えて、シリンジ装着具は、第２の弓状表面を有する第２のシリンジクランプも含む。これらの第１および第２のシリンジクランプは、第１の弓状表面が第２の弓状表面に対向するように相互に反対の関係にある。さらに、第１および第２のシリンジクランプは、それらの間に位置するシリンジを係合および係脱するために、相互に向かって、および相互に離隔して平行移動する。
【０００７】
本発明の第１の局面に関連して上述した特徴に関して種々の改善点が存在する。また、さらなる特徴も、本発明の第１の局面に組み込まれてもよい。これらの改善点および追加の特徴は、個々に、または任意の組み合わせで存在してもよい。以下の説明は、本発明の第２の局面の説明の開始までは、この第１の局面に関する。
【０００８】
シリンジクランプは、シリンジの注入器への装着を可能にすることを少なくとも支援する限り、任意の適切な設計を呈してもよい。例えば、第１および第２のシリンジクランプは、開口部が、シリンジのプランジャを駆動ラムと整列するために、それらの間で画定されるように設計されてもよい。したがって、第１および第２のシリンジクランプは、シリンジの円周部分の周りを開放および閉鎖するように構成されてもよい。いくつかの実施形態では、第１および第２のシリンジクランプは、それらがシリンジの円周部分の周囲で閉鎖する場合に、相互に接触してもよい。これらの第１および第２のシリンジクランプの各々は、ある種のＣ形クランプを含んでもよく、またはそれによって特徴付けられてもよい。
【０００９】
シリンジ装着具は、第１および第２のシリンジクランプの相互に向かう、および相互から離隔する平行移動を可能にするように、多数の適切な方式のいずれかで設計されてもよい。例えば、シリンジ装着具は、シリンジ係合位置とシリンジ係脱位置との間で、シリンジ装着具のレールに沿って第１および第２のシリンジクランプを移動するように設計されてもよい。いくつかの実施形態では、シリンジ装着具は、シリンジ係合位置とシリンジ係脱位置との間で、第１および第２のシリンジクランプを作動するように構成されるレバーを含んでもよい。
【００１０】
シリンジ装着具のいくつかの実施形態は、第１および第２のシリンジクランプが、注入器に装着されるシリンジに完全な支持を実質的に提供可能であるように設計されてもよい。シリンジ装着具の他の実施形態は、装着されたシリンジの支持を少なくとも支援するための１つ以上の構成要素を含んでもよい。例えば、シリンジ装着具のいくつかの実施形態は、注入器筐体から離隔して外側に延出する細長いシリンジ支持部をさらに含んでもよい。
【００１１】
シリンジ装着具は、任意の適切な様式で注入器筐体に連結されてもよい。付随して、本明細書における「連結」などは、別のものと少なくとも一時的に接続される（直接的または間接的）一方のものの状態を指す。シリンジ装着具および注入器の適切な連結の例として、シリンジ装着具は、注入器の取り外し可能な面板の構成要素であってもよい。別の例として、シリンジ装着具は、注入器筐体と実質的に一体的であってもよい。さらに別の例として、シリンジ装着具は、注入器の元のシリンジ装着具を、元のシリンジ装着具が収容するように元々設計されていなかったシリンジを収容するように少なくとも一時的に適合させるための、アダプタの構成要素であってもよい。
【００１２】
本発明の第２の局面は、自動造影剤注入器を使用する（例えば、シリンジを自動造影剤注入器に装着する）方法を対象とする。本方法では、シリンジの後方部分は、注入器の第１および第２のシリンジクランプの間に配置され、その各々は、弓状表面を含む。さらに、第１および第２のシリンジクランプは、弓状表面の各々がシリンジの後方部分に少なくとも接触するまで、相互に向かって平行移動される（例えば、側方に）。
【００１３】
本発明の第２の局面に関連して上述した特徴に関して種々の改善点が存在する。また、さらなる特徴も、本発明の第２の局面に組み込まれてもよい。これらの改善点および追加の特徴は、個々に、または任意の組み合わせで存在してもよい。以下の説明は、本発明の第３の局面の説明の開始までは、この第２の局面に関する。
【００１４】
第１および第２のシリンジクランプは、それらが相互に直接接触するまで平行移動されてもよい。いくつかの実施形態では、第１および第２のシリンジクランプの相対位置は、選択的にロックされてもよい（例えば、ユーザの所望に応じて）。例えば、ロックは、第１および第２のシリンジクランプが相互に平行移動された後に、第１および第２のシリンジクランプを実質的に固定するように作動されてもよい。
【００１５】
いくつかの実施形態では、ユーザは、シリンジの後方端部が第１および第２のシリンジクランプの間に配置される間に、注入器にシリンジのプランジャを移動させてもよい。例えば、造影剤および／または生理食塩水が、プランジャのこの移動によって、シリンジから排出されてもよい。
【００１６】
本発明のさらなる第３の局面は、自動造影剤注入器を使用する（例えば、装着されたシリンジを自動造影剤注入器から除去する）方法を対象とする。本方法では、注入器の第１および第２のシリンジクランプは、シリンジの後方部分の周囲に配置され、かつそれに接触する。第１および第２のシリンジクランプは、それらの間に位置するシリンジから離隔して平行移動される（例えば反対側方方向に）。その後、シリンジは、第１および第２のシリンジクランプから移動される。
【００１７】
本発明の第３の局面に関連して上述した特徴に関して種々の改善点が存在する。また、さらなる特徴も、本発明の第３の局面に組み込まれてもよい。これらの改善点および追加の特徴は、個々に、または任意の組み合わせで存在してもよい。発明の概要の以下の部分は、本発明のこの第３の局面の説明に関する。
【００１８】
第１および第２の部材は、シリンジから離隔して平行移動される前に、相互に直接接触してもよい。いくつかの実施形態では、注入器は、クランプロックを含んでもよい。このような実施形態では、クランプロックは、第１および第２のシリンジクランプの平行移動を可能にするために、ロック解除されてもよい（例えば、ユーザによって）。クランプロックのこのロック解除は、任意の適切な時に発生してもよい。例えば、いくつかの実施形態では、クランプロックは、第１および第２のシリンジクランプがシリンジから離隔して平行移動される前に、ロック解除されてもよい。
【００１９】
前述のように、上記に提示した概要は、請求される対象を限定することなく、本発明の一定の局面および内容によって読み手に習熟させることだけを意図している。
【図面の簡単な説明】
【００２０】
以下の、発明を実施するための形態を添付の図面を参照して読むと、本発明の種々の特徴、局面、および利点がより良く理解され、本図面において、同一の文字は、類似の部分を表す。
【図１】図１は、撮像システムのブロック図である。
【図２】図２は、自動注入器の斜視図である。
【図３】図３は、シリンジ装着システムの上面図である。
【図４】図４は、シリンジが自身に装着された図３のシリンジ装着システムの斜視図である。
【図５】図５は、図３のシリンジ装着の別の斜視図である。
【図６】図６は、デュアルヘッド型シリンジ装着システムの上面図である。
【図７】図７は、シリンジ装填過程のフローチャートである。
【発明を実施するための形態】
【００２１】
（特定の実施形態の詳細な説明）
本発明に関する１つ以上の具体的な実施形態について以下に説明する。これらの実施形態に関する簡潔な説明を提供するために、実際の実装に関する全ての特徴について本明細書に説明するわけではない。任意の工学または設計計画と同様に、任意のこのような実際の実装の開発において、開発者特有の目標を達成するために、実装によって異なり得るシステム関連の制約およびビジネス関連の制約への順守等の、多数の実装特有の決定を行なわなければならないことを理解されたい。さらに、このような開発努力が、複雑であり、かつ時間を要する場合があるが、それにもかかわらず、本開示の便益を有する当業者にとって、設計、製作、および製造の通常の作業の範疇に入るものと理解されたい。
【００２２】
本発明の種々の実施形態の要素を紹介する際、「ある」、「その」、および「前記」という冠詞は、１つ以上の要素が存在することを意味するよう意図される。用語の「備える」、「含む」、および「有する」は、包含的であり、かつ列挙する要素以外に追加の要素が存在し得ることを意味するように意図される。さらに、「上部」、「底部」、「上」、「下」、およびこれらの用語の変形を便宜上使用するが、構成要素の任意の特定の方向は必要とされない。
【００２３】
図１を参照すると、撮像システム１０は、自動注入器１２上に装填されたシリンジおよび／または複数のシリンジから薬液を注入するように適合される自動注入器１２を含んでもよい。自動注入器１２を使用してシリンジから注入される薬液には、任意の適切な薬液（例えば、造影剤、生理食塩水、またはそれらの組み合わせ）が含まれてもよい。撮像システム１０は、撮像機器１４、システム制御１６、データ収集および処理回路１８、プロセッサ２０、ユーザインターフェース２２、およびネットワーク２４をさらに含む。具体的には、撮像機器１４は、自動注入器１２を介した薬液（例えば、造影剤）の被検者への投与後および／または投与中に、被検者の画像を表す信号を入手するように構成される。撮像システム１０には、陽電子放射断層撮影（ＰＥＴ）システム、フォトン放射コンピュータトモグラフィ（ＳＰＥＣＴ）システム、核医学ガンマ線カメラ、磁気共鳴映像（ＭＲＩ）システム、コンピュータ断層撮影（ＣＴ）システム、Ｘ線カメラ、光学的画像システム、超音波画像システム、または別の適切な撮像モダリティが含まれてもよい。被検者における対象領域を標示する画像データは、写真フィルム等の従来のサポート、デジタル媒体、または他の適切な方式のいずれかで、撮像機器１４によって生成されてもよい。
【００２４】
システム制御１６は、撮像（例えば、放射）源制御回路、タイミング回路、患者移動またはテーブル移動と併せてデータ収集を調整する回路、撮像（例えば、放射）検出器の位置を制御する回路等の、広範な回路を含んでもよい。画像データまたは信号の収集の後に、撮像機器１４は、デジタル値への変換等のために信号を処理し、画像データをデータ収集回路１８に転送してもよい。写真フィルム等のアナログ媒体の場合、データ収集システムは、概して、フィルムのためのサポート、ならびにフィルムを現像し、かつ後にデジタル化され得るハードコピーを生成する設備を含んでもよい。デジタルシステムでは、データ収集回路１８は、必要に応じて、デジタルダイナミックレンジの調整、データの平滑化または鮮鋭化、ならびにデータストリームおよびファイルの編集等の、広範な初期処理機能を実行してもよい。次いで、データは、プロセッサ２０に転送され、ここで追加の処理および分析が実行される。写真フィルム等の従来の媒体では、プロセッサ２０は、テキスト情報をフィルムに適用し、また、一定の注釈または患者識別情報を添付してもよい。デジタル撮像システムでは、データ処理回路は、実質的なデータの分析、データの順序化、鮮鋭化、平滑化、特徴認識等を実行してもよい。
【００２５】
最終的に、画像データは、視認および分析のために、操作者／ユーザインターフェース２２に転送されてもよい。視認前に画像データに操作を実行してもよいが、操作者インターフェース２２は、ある点において、回収された画像データに基づいて再構成された画像を視認するのに有用である。写真フィルムの場合、放射線科医および担当医師が、画像シーケンスをより容易に読み取り、および注釈を付けることを可能にするように、ライトボックスまたは類似のディスプレイ上に載せられてもよい。また、画像データは、ネットワーク２４等を介して、遠隔位置に転送されることも可能である。加えて、操作者インターフェース２２は、撮像システムの制御を可能にしてもよい（例えば、システム制御１６と相互作用することによって）。さらに、撮像システム１０は、画像２８のハードコピーを出力するためにプリンタ２６を含んでもよい。図１は、１つの撮像システム１０の例を示すが、本発明の原理が、シリンジ装着具を含むまたは含むべきである注入器を利用して、任意の撮像システムに適用することに留意されたい。さらに、図２は、例示的注入器１２を示すが、本発明の原理が、シリンジ装着具を含むまたは含むべきである任意の薬液注入器に適用することに留意されたい。
【００２６】
図２は、図１において図式的に表す例示的自動注入器１２の斜視図である。図２に示すように、自動注入器１２は、パワーヘッド５２、スタンドアセンブリ５４、および支持アーム５６を含んでもよい。パワーヘッド５２は、薬液を含有するシリンジを適切に捕捉するように適合されるシリンジ装着システムを含んでもよい。例えば、このような装着システムは、流体を所望の速度で注入するために、パワーヘッドの駆動ラムによってシリンジのプランジャに提供される圧力等の、最適な流体注入パラメータを提供してもよい。パワーヘッド５２に含まれるシリンジ装着システムは、シリンジのパワーヘッド５２への装着に関連するタスクを単純化するように適合されてもよく、これは、さらに、注入処置の他の局面に関連する追加のタスクに臨床医が応対することを可能にしてもよい。パワーヘッド５２は、ディスプレイ５８、流体制御バー６０、および空気検出器６２を含んでもよい。流体制御バー６０は、パワーヘッド５２に装着されるシリンジ６４におけるプランジャの手動操作を容易にしてもよい。空気検出器６２は、空気がシリンジ６４において検出される場合、またはシリンジ６４から出ている場合、制御器１６（図１）等の制御器に信号伝達してもよい。
【００２７】
図示するスタンドアセンブリ５４は、１組の４つの車輪６６、シャーシ６８、垂直支持部７０、ハンドル７２、およびディスプレイ７４を含む。垂直支持部７０は、ハンドル７２、ディスプレイ７４、および支持アーム５６をシャーシ６８の上で調整可能に持ち上げてもよく、一定の実施形態では、電力ケーブル７６が通る凹型部分を有してもよい。ディスプレイ７４には、液晶ディスプレイ、ブラウン管ディスプレイ、有機発光ダイオードディスプレイ、表面発光ディスプレイ、または他の適切なディスプレイが含まれてもよい。図２に示す注入器１２の支持アーム５６は、多軸間接式部材７８、８０を含む。図示する間接式部材７８は、２つの垂直回転軸８２、８４により、シャーシ６８に対して２つの自由度を有する。同様に、例示的間接式部材８０は、２つの垂直回転軸８６、８８によって、間接式部材７８に対して２つの自由度を有する。電力ケーブル７６は、間接式部材７８、８０に沿ってパワーヘッド５２に通るように図示される。
【００２８】
図２のパワーヘッド５２は、間接式部材８０に対して２つの自由度を提供する接合部を介して間接式部材８０に連結されてもよい。結果として、本実施形態では、パワーヘッド５２は、軸９０、９２を中心に回転してもよい。全体的に、図示するパワーヘッド５２は、シャーシ６８に対して６つの自由度を有する。他の実施形態は、より多いまたはより少ない自由度を含んでもよい。
【００２９】
図３〜図５は、自動注入器１２（図１）等の薬液自動注入器とともに使用するためのシリンジ装着システム２００を示す。シリンジ装着システム２００は、細長いシリンジ支持部またはクレードル２０２と、基部２０４とを含む。基部２０４は、シリンジ２０６がパワーヘッド５２と近接および整列して装着可能になるように、クレードル２０２およびパワーヘッド５２の両方に連結される。また、シリンジ装着システム２００は、細長いクレードル２０２の固定端部において基部２０２に連結される第１および第２のクランプ２１０、２１２も含む。以下に詳述するように、クレードル２０２は、長手方向軸２１４に沿ってシリンジ２０６の軸方向移動を可能にする一方で、概して、シリンジ２０６の少なくともある非軸方向移動を阻止する様式で、シリンジ２０６を支持してもよい（例えば、シリンジ２０６のバレルとクレードル２０２との直接接触によって）。次いで、クランプ２１０、２１２は、クレードル２０２にシリンジ２０６を固定することによって、クレードル２０２から、長手方向軸２１４に沿って軸方向に、および非軸方向に（例えば、垂直に（例えば、図３の紙に対して直角に）および／または側方に）シリンジ２０６が大幅に移動することを阻止する。したがって、クレードル２０２およびクランプ２１０、２１２は、シリンジ２０６が長手方向軸２１４に沿ってパワーヘッド５２と同軸上になる（例えば、軸方向に整列される）ように、シリンジ２０６を基部２０４およびパワーヘッド５２に協調的に支持および固定してもよい。シリンジ装着システム２００により提供された軸方向整列は、シリンジ２０６のプランジャを移動するパワーヘッド５２の駆動ラム２４０（図４）を促進し、薬液をシリンジ２０６から排出し、任意により薬液をシリンジに引き込む（例えば、駆動ラム２４０のシリンジのプランジャとの適切な相互作用を介して）。
【００３０】
図示するように、クレードル２０２は、基部２０４およびパワーヘッド５２から離隔して（例えば、それらに直角に）延出する。クレードル２０２は、基部２０４から実質的に延出または突出してもよい（例えば、概して直角方向に）。したがって、クレードル２０２は、パワーヘッド５２および／または基部２０４に対して片持ち梁のように説明されてもよい。言い換えると、クレードル２０２は、第１の端部（例えば、固定近位端部）においてパワーヘッド５２および／または基部２０４に固定されてもよく、一方、クレードル２０２の反対の第２の端部は、自立しているか、または固定されていない（例えば、自由末端）。
【００３１】
クレードル２０２は、クレードル２０２上からクレードル２０２の上部の位置にシリンジ２０６を挿入することを可能にするように構成される開放上部を含んでもよい。例えば、クレードル２０２の上面２３６は、その中に画定され、シリンジ２０６の長さの一部分（例えば、最大で実質的に全体）に沿って延出する、上側シリンジ容器を有してもよい。さらに後述するように、クレードル２０２の上面２３６は、シリンジ２０６の少なくとも一部分の形状および輪郭に一致するような形状を有してもよい。例えば、クレードル２０２は、クレードル２０２の上から、および自由末端からもアクセス可能である曲線状で凹型の上面２３６（例えば、半円筒状で凹型の表面）を有してもよい。曲線状凹部は、その長さの少なくとも一部分に沿ってシリンジ２０６の底部分の周囲で収容および一致するように適合されてもよい。例えば、クレードル２０２は、シリンジ２０６の上部分において延出、被覆、または接触せずに、シリンジ２０６の底部分のみに接触してもよい。クレードル２０２は、特に、薬液およびシリンジ２０６を伴うシリンジ充填および注入措置中に、シリンジ２０６に適切な支持を提供するように適合されてもよい。クレードル２０６により提供される支持は、シリンジ２０６の重さおよび／またはその中に配置される薬液の重さが、シリンジ２０６を屈曲、制動、またはシリンジからの薬液の注入を妨害し得る任意の形状変形を受けることを防止することを支援してもよい。同様に、シリンジ２０６を基部２０４に保持するためにクレードル２０２により提供される支持は、シリンジ２０６から患者に薬液を注入する際に、パワーヘッド５２の駆動ラム２４０が、シリンジ２０６のプランジャに最適な注入圧力を印加可能にすることを支援してもよい。
【００３２】
シリンジ装着システム２００は、シリンジ２０６のプランジャのパワーヘッド５２の駆動ラム２４０との整列を支援するために、その中に第１および第２のシリンジクランプ２１０、２１２の間で画定される開口部を有してもよい。駆動ラム２４０は、任意の適切な方式で、シリンジ２０６のプランジャと相互作用（例えば、係合）し、それに圧力を印加してもよく、それによって、シリンジの先端２０８および患者に至る管２０９を通って外側に薬液が移動する。結果として、整列は、パワーヘッド５２の駆動ラムとシリンジ２０６におけるプランジャとの間の所望の相互作用を促進するために重要であり得る。したがって、ユーザは、シリンジ２０６が中央軸２１４およびパワーヘッド５２の駆動ラム２４０と少なくとも概して整列するように、シリンジ２０６をクレードル２０２の上部に配置してもよい。言い換えると、シリンジ２０６およびパワーヘッド５２の駆動ラム２４０は、長手方向軸２１４と整列して、相互に同軸上にあってもよい。いくつかの実施形態では、クレードル２０２は、特定のサイズを有するシリンジ２０６と一致するようなサイズを有し、これによって、その特定のシリンジ２０６のパワーヘッド５２との正確な整列が促進される。例えば、クレードル２０２における半円筒状の溝は、シリンジ２０６の円筒状外部と同一または実質的に類似の弓状の輪郭を有してもよい。他の実施形態では、クレードル２０２は、複数の異なるサイズの溝を含んでもよく、その各々は、異なるサイズのシリンジ２０６を収容するように適合される。例えば、複数の半円筒状溝は、クレードル２０２の上面に沿って入れ子であるように凹型であってもよい。他の実施形態では、システム２００は、クレードル２０２が特定のシリンジ２０６を収容するように迅速に取り替え可能であるように、異なるサイズの半円筒状溝を有する複数の容器クレードル２０２を含んでもよい。
【００３３】
また、シリンジ装着システム２００は、保持機能および／または整列機能の提供に利用し得る第１および第２のシリンジクランプ２１０、２１２も含んでもよい。クランプ２１０、２１２は、シリンジ２０６のシリンジ装着システム２００への固定に使用され得る対の保持構造（例えば、Ｃ形クランプ）として特徴付けられてもよい。第１のシリンジクランプ２１０は、第１の弓状表面２４６を有するように示される。同様に、第２のシリンジクランプ２１２は、第２の弓状表面２４８を有するものとして示される。クランプ２１０、２１２は、第１の弓状表面２４６が第２の弓状表面２４８に対向するように、相互に反対関係にある。クランプ２１０、２１２は、その間に位置するシリンジ２０６を係合および係脱するために、相互に向かって、および相互から離隔して、反対線形方向に平行移動するように適合される。第１および第２の弓状表面２４６、２４８は、それらを組み合わせて、その間に位置するシリンジ２０６の外径を少なくとも実質的に囲み、その外径に一致するように設計されてもよい。
【００３４】
クランプ２１０、２１２は、さらに後述するように、シリンジ装着アセンブリ２００の中心軸２１４に直角の軸に沿って、レバー等によって可動である。クランプ２１０、２１２は、相互に向かって、および相互から離隔して、平行移動（例えば、回転せずに線形に移動）するように適合される。したがって、シリンジ２０６のシリンジ装着アセンブリ２００への取り付けまたはシリンジ装着アセンブリ２００からの取り外しは、軸２１４に実質的に直角である線に沿って、反対方向にクランプ２１０、２１２を移動することによって促進されてもよい。図示するように、シリンジ２０６をシリンジ装着システム２００上に装着する前に、クランプ２１０、２１２は、それらの外縁が、基部２０４の縁とほぼ整列するように、開放状態に配置されてもよい（例えば、相互に離隔して配置される）。この開放状態では、第１のシリンジクランプ２１０は、第１の距離だけ、第２のシリンジクランプ２１２から分離される。対照的に、第１のシリンジクランプ２１０は、閉鎖位置時に、第１の距離未満である第２の距離だけ、第２のシリンジクランプ２１２から分離される。
【００３５】
シリンジ２０６をシリンジ装着システム２００に保持するために、クランプ２１０、２１２は、クランプ２１０、２１２がシリンジ２０６の外側円周部分に接触するまで、相互に向かって線形に移動するように作動されてもよい。したがって、クランプ２１０、２１２は、シリンジ２０６の円周部分の周りで閉鎖するように構成される。この場合、シリンジ２０６の一部分は、クランプ２１０、２１２の間で配置または捕捉される。さらに、クランプ２１０、２１２の閉鎖時に、シリンジの保持フランジ２５０は、軸２１４に沿ったシリンジ２０６の移動を阻止するために、クランプ２１０、２１２の後方に位置する（例えば、基部２０４とクランプ２１０、２１２との間に捕われる）。
【００３６】
シリンジ装着システム２００は、比較的長時間、シリンジ２０６を保持するように適合されてもよく（例えば、クレードル２０２およびクランプ２１０、２１２によって促進されるように）、これは、一定の注入措置において望ましくてもよい。したがって、シリンジ装着システム２００は、シリンジ２０６の構造的完全性を保つとともに、シリンジ装着システム２００上に装着されるように適合されてもよい。例えば、クレードル２０２およびクランプ２１０、２１２は、構造により提供される支持を含まずに明示し得る構造的欠陥、屈曲、または材料疲労に対抗するように構成されてもよい。これによって、上述のシリンジ欠陥のいずれかから生じる流体漏出が低減または制限されてもよく、結果的に、注入が実行される作業環境の浄化および／または回復に費やす時間が低減される。さらに、クレードル２０２およびクランプ２１０、２１２により提供されるシリンジの適切な保持および整列は、注入処置の所望の結果を妨害し得るシリンジ動作を低減してもよい。
【００３７】
図４〜図５に示すように、シリンジ装着システム２００は、クレードル２０２の下に配置されるレバー２２０を含んでもよい。レバー２２０が開放位置と閉鎖位置との間で移動する際に、レバー２２０は、レール２２２（例えば、弓状スロット）に沿って摺動するように適合される。クランプ２１０、２１２は、基部２０４のレール２２６内に配置される移動可能タブ２２４を介して基部２０４に連結されてもよい。クランプ２１０、２１２は、シリンジ装着システム２００のレール２２６に沿って、平行移動（例えば、回転せずに線形に移動）するように適合される。図示するレール２２６は、基部２０４の前部対向面において画定される２つの対向する狭い構造として特徴付けられてもよい。レール２２６は、基部２０４の外側縁から、基部２０４において中央に画定される開口部２２８の外側縁に延出するように示される。他の実施形態は、クランプ２１０、２１２の移動を制御／誘導する他の適切なレール設計を呈してもよい。移動可能タブ２２４は、クランプ２１０、２１２が相互に向かって、および相互から離隔して平行移動可能になる様式でレールに沿って移動するように設計され、その結果、クランプ２１０、２１２は、クレードル２０２上に配置される際にシリンジ２０６を係合してもよく、これによって、シンジ２０６がシリンジ装着システム２００上に装着される。本実施形態は単一の対のクランプ２１０、２１２を用いるが、他の実施形態が複数の対のクランプを用いてもよいことに留意されたい。
【００３８】
図４を参照すると、クレードル２０２は、２つの部分、つまり、上側部分２３０および下側部分２３２を有するものとして特徴付けられてもよい。クレードル２０２の下側部分２３２は、下側部分２３２が、基部２０４からクレードル２０２の外側縁に延出するように、基部２０４に連結される。クレードル２０２の上側部分２３０は、クランプ２１０、２１２のほぼ外側縁からクレードル２０２の外側縁に延出する。したがって、クレードル２０２の上側部分２３０は、基部２０４に連結されず、これによって、クレードル２０２と基部２０４との間に間隙２３４が形成される。これによって、クランプ２１０、２１２は基部２０４の対向面に沿って自由に移動可能になり、一方、クレードル２０２は、基部２０４に固定して連結される。
【００３９】
前述のように、ユーザは、レバー２２０を含み得るロック機構（図示せず）を介して、シリンジ２０６をシリンジ装着システム２００にロックするか、またはシリンジ装着システム２００からロック解除するように、クランプ２１０、２１２を作動してもよい。例えば、一実施形態では、レバー２２０は、基部２０４内に配置される機構（例えば、回転可能円板、バネ装填機構等）に連結されてもよい。本機構は、開放位置と閉鎖位置との間のレバー２２０の移動が、対応する開放状態と閉鎖状態との間のクランプ２１０、２１２の移動を引き起こすように、移動可能タブ２２４と相互作用（例えば、接触または連結）してもよい。
【００４０】
図６は、デュアルヘッド型造影剤注入器５２０のシリンジ装着システム３００の上面図である。シリンジ装着システム３００は、そこから薬液を注入する２つのシリンジを収容するように適合され得るデュアルシリンジ装着システムである。したがって、シリンジ装着システム３００は、図３〜図５に示すシリンジ装着システム２００に関して説明した特徴のいずれかを含んでもよい。例えば、シリンジ装着システム３００は、基部３０６、３０８のそれぞれに連結されるクレードル３０２、３０４を含む。
【００４１】
本実施形態は、同一サイズを有するものとしてクレードル３０２、３０４を図示し得るが、他の実施形態が、種々のサイズの複数のクレードルを有するシリンジ装着システムを含んでもよいことに留意されたい。いくつかの実施形態では、例えば、クレードル３０２は、第１のサイズのシリンジ（例えば、シリンジ３１２）を収容してもよく、一方、クレードル３０４は、第１のサイズとは異なる第２のサイズのシリンジ（例えば、シリンジ３１４）を収容してもよい。
【００４２】
基部３０６、３０８の各々は、一対のクランプに連結される。具体的には、基部３０６は、クランプ３１６、３１８に連結され、基部３０８は、クランプ３２０、３２２に連結される。クランプ３１６、３１８、３２０、３２２は、シリンジ３１２、３１４のそれぞれをシリンジ装着システム３００に固定して装着するように適合される。各対のクランプ３１６、３１８および３２０、３２２は、図３〜図５に関連して上述したような、例えば、開放状態と閉鎖状態との間で各対のクランプを移動するように適合されるレバーによって作動されてもよい。図示する実施形態では、各対のクランプ３１６、３１８および３２０、３２２は、シリンジ３１２および３１４の各々をそれぞれ保持または解放するために独立して作動されてもよい。他の実施形態では、シリンジ装着システム３００のロック機構は、クランプ３１６、３１８、３２０、３２２が、シリンジ装着システム３００に対してシリンジ３１２、３１４を固定または解放するために、同時に並行して平行移動することが必要とされるように設計されてもよい。
【００４３】
シリンジ装着システム３００は、自動注入器５２０のための取り外し可能な面板の構成要素であってもよい。例えば、基部３０６、３０８の各々は、注入器５２０に独立して連結し（例えば、ラッチ、締結具、または他の連結機構を介して）、基部３０６および／もしくは３０８の除去ならびに／または異なる種類およびサイズのシリンジを収容するように適合される他の類似の基部との交換を可能にしてもよい。他の実施形態では、シリンジ装着システム３００は、自動注入器５２０と一体型であってもよい。さらに他の実施形態では、シリンジ装着システム３００は、デュアルヘッド型注入器の元のシリンジ装着システムを、元のシリンジ装着システムが収容するように元々設計されていなかったシリンジを収容するように少なくとも一時的に適合させるための、アダプタシステムの構成要素であってもよい。
【００４４】
図示するシリンジ装着システム３００は、薬液の同時および／または順次注入を用いる設定等の、種々の設定において使用するために望ましくてもよい。このような設定に対応するために、注入器５２０は、シリンジ３１２、３１４の各々から独立して薬液を注入するように構成されてもよい。例えば、注入器５２０は、複数のラムを含んでもよく、これによって、各ラムは、シリンジ３１２、３１４のそれぞれのプランジャに所望の圧力量を印加するように構成されてもよい。
【００４５】
図７は、図３〜図６に関連して説明したシリンジ装着システム２００上へのシリンジの装着および／または装填のための例示的過程を示す。本過程４００は、注入処置を投与する医療介護提供等のユーザによって用いられてもよく、これによって、患者の所望の解剖学的構造および／または生理学的過程の撮像に使用される薬液が患者に注入される。例えば、薬液には、放射性医薬品、造影剤、生理食塩水、またはそれらの組み合わせが含まれてもよい。過程４００は、ステップ４０２において開始し、これによって、ユーザは、シリンジを収容するために、シリンジ装着システム２００が開放状態であること（例えば、クランプ２１０、２１２が適切に離間していること）（図４参照）を検証してもよい。その後、過程４００は、ステップ４０４に進み、ここで、ユーザは、図５のシリンジ２０６等の流体が充填されたシリンジをクレードル２０２上に配置してもよい。例えば、ユーザは、第１および第２のシリンジクランプ２１０、２１２の間にシリンジ２０６の後方部分を配置し、クランプが閉鎖状態（図５参照）に移動すると、シリンジ２０６のフランジ２５０が、クランプ２１０、２１２の後方に配置されるようにする。その後、ステップ４０６が続き、ここで、シリンジは、一対のクランプ２１０、２１２が、シリンジの後方部分の周りに配置され、かつそこに接触する閉鎖状態に移動することによって、シリンジ装着システム２００に固定して連結されてもよい。この閉鎖状態を達成するために、ユーザは、弓状表面２４６、２４８の各々がシリンジ２０６の後方部分に接触するまで、第１および第２のシリンジクランプ２１０、２１２を相互に向かって平行移動してもよい。図４〜図５に関連して少なくとも概して上述したように、本ステップ４０６は、レバー２２０を作動することによって始動されてもよい。この点において、シリンジ２０６は、最終ステップ４０８が提供するように、注入および／または充填手順が開始するように、シリンジ装着システム２００上に適切に装着される。いくつかの実施形態では、上記方法は、平行移動後に、第１および第２のシリンジクランプを実質的に固定するように、ロックを作動するステップを含んでもよい。
【００４６】
シリンジ２０６をシリンジ装着システム２００から取り外す場合、ユーザは、その間に配置されるシリンジ２０６の後方部分に接触しなくなるように、相互から離隔して第１および第２のシリンジクランプ２１０、２１２を平行移動してもよい。言い換えると、クランプ２１０、２１２は、閉鎖状態から開放状態に移動してもよい。これは、図５に示す閉鎖位置から図４に示す開放位置にレバー２２０を移動することによって達成されてもよい。その後、ユーザは、第１および第２のシリンジクランプ２１０、２１２の間からシリンジ２０６を移動してもよい。閉鎖状態から開放状態へのこの平行移動の前に、ユーザは、クランプ２１０、２１２の平行移動を発生可能にするように、シリンジ装着システム２００のクランプロックをロック解除する必要があり得る。
【００４７】
本発明は、種々の修正および代替形式の影響を受け得るが、具体的な実施形態は、図面において例として示され、本明細書において詳細に説明されている。しかしながら、本発明が、開示する特定の形式に限定されるように意図されないことを理解されたい。むしろ、本発明は、以下の添付の特許請求の範囲により規定されるような、本発明の精神および範囲内にある全ての修正、均等物、および代替物を対象とするものとする。
【図１】
2011505910.tif 000003
【図２】
2011505910.tif 000004
【図３】
2011505910.tif 000005
【図４】
2011505910.tif 000006
【図５】
2011505910.tif 000007
【図６】
2011505910.tif 000008
【図７】
2011505910.tif 000009
【手続補正書】
【提出日】平成22年6月8日(2010.6.8)
【手続補正１】
【補正対象書類名】明細書
【補正対象項目名】００１９
【補正方法】変更
【補正の内容】
【００１９】
前述のように、上記に提示した概要は、請求される対象を限定することなく、本発明の一定の局面および内容によって読み手に習熟させることだけを意図している。
（項目１）
前部装填式造影剤注入器であって、
自身の中に画定される開口を有する注入器筐体と、
駆動ラムであって、その少なくとも一部分は、該注入器筐体の該開口を通って、該駆動ラムの長手方向基準軸に沿って該注入器筐体の内部および外部に移動可能である駆動ラムと、
該筐体に連結され、かつ
第１の弓状表面を備える第１のシリンジクランプと、
第２の弓状表面を備える第２のシリンジクランプと
を備え、該第１および第２のシリンジクランプは相互に反対の関係にあり、それにより、該第１の弓状表面が該第２の弓状表面に対向し、該第１および第２のシリンジクランプは、それらの間に位置するシリンジを係合および係脱するために、相互に向かって、および相互から離隔して、反対線形方向に平行移動する、シリンジ装着具と
を備える、前部装填式造影剤注入器。
（項目２）
開口部は、シリンジのプランジャを前記駆動ラムと整列するために、前記第１のシリンジクランプと前記第２のシリンジクランプとの間で画定される、項目１に記載の注入器。
（項目３）
前記第１および第２のシリンジクランプの各々は、Ｃ形クランプを備える、項目１または２に記載の注入器。
（項目４）
前記第１および第２のシリンジクランプは、シリンジの円周部分の周りで開放および閉鎖するように構成される、項目１から３のいずれかに記載の注入器。
（項目５）
前記第１および第２のシリンジクランプがシリンジの円周部分の周囲で閉鎖される場合に、該第１および第２のシリンジクランプは相互に接触する、項目４に記載の注入器。
（項目６）
シリンジ係合位置とシリンジ係脱位置との間で、前記第１および第２のシリンジクランプを作動するように構成されるレバーを備える、項目１から５のいずれかに記載の注入器。
（項目７）
前記シリンジ装着具は、レールを備え、前記第１および第２のシリンジクランプは、前記シリンジ係合位置と前記シリンジ係脱位置との間で該レールに沿って移動する、項目６に記載の注入器。
（項目８）
前記注入器筐体から離隔して外側に延出する細長いシリンジ支持部をさらに備える、項目１から７のいずれかに記載の注入器。
（項目９）
前記シリンジ装着具は、前記注入器の取り外し可能な面板の構成要素である、項目１から８のいずれかに記載の注入器。
（項目１０）
前記シリンジ装着具は、前記注入器筐体と実質的に一体的である、項目１から８のいずれかに記載の注入器。
（項目１１）
前記シリンジ装着具は、前記注入器の元のシリンジ装着具を、該元のシリンジ装着具が収容するように元々設計されていなかったシリンジを収容するように少なくとも一時的に適合させるための、アダプタの構成要素である、項目１から８のいずれかに記載の注入器。
（項目１２）
前記第１のシリンジクランプと前記第２のシリンジクランプとの間に配置されるシリンジをさらに備える、項目１から１１のいずれかに記載の注入器。
（項目１３）
前記シリンジ内に配置される造影剤、生理食塩水、またはそれらの組み合わせをさらに備える、項目１２に記載の注入器。
（項目１４）
自動造影剤注入器を使用する方法であって、該方法は、
該注入器の第１のシリンジクランプと第２のシリンジクランプとの間にシリンジの後方部分を配置することであって、該第１および第２のシリンジクランプの各々は弓状表面を備える、ことと、
該弓状表面の各々が該シリンジの該後方部分に少なくとも接触するまで、相互に向かって該第１および第２のシリンジクランプを平行移動することと
を含む、方法。
（項目１５）
前記平行移動することの後に、前記第１および第２のシリンジクランプを実質的に固定するためにロックを作動すること
をさらに含む、項目１４に記載の方法。
（項目１６）
前記シリンジの前記後方端部が前記第１のシリンジクランプと前記第２のシリンジクランプとの間に配置される一方で、前記注入器に前記シリンジのプランジャを移動させること
をさらに含む、項目１４または１５に記載の方法。
（項目１７）
前記平行移動することは、前記第１および第２のシリンジクランプが相互に直接接触するまで発生する、項目１４から１６のいずれかに記載の方法。
（項目１８）
自動造影剤注入器を使用する方法であって、該方法は、
該注入器の第１および第２のシリンジクランプを、それらの間に配置されるシリンジの後方部分から離隔して平行移動することであって、該第１および第２のシリンジクランプは、該平行移動することの前に、該シリンジに接触する、ことと、
該第１のシリンジクランプと該第２のシリンジクランプとの間から該シリンジを移動することと
を含む、方法。
（項目１９）
前記第１および第２のシリンジクランプの平行移動を可能にするために、クランプロックをロック解除することであって、該ロック解除することは、該平行移動することの前に発生する、項目１８に記載の方法。
（項目２０）
前記第１および第２のシリンジクランプは、前記平行移動することの前に、相互に直接接触する、項目１８または１９に記載の方法。
（項目２１）
前記平行移動することは、実質的に側方方向で発生する、項目１４から２０のいずれかに記載の方法。
（項目２２）
前記シリンジから造影剤および生理食塩水のうちの少なくとも１つを排出することをさらに含む、項目１４から２１のいずれかに記載の方法。
【手続補正２】
【補正対象書類名】特許請求の範囲
【補正対象項目名】全文
【補正方法】変更
【補正の内容】
【特許請求の範囲】
【請求項１】
前部装填式造影剤注入器であって、
自身の中に画定される開口を有する注入器筐体と、
駆動ラムであって、その少なくとも一部分は、該注入器筐体の該開口を通って、該駆動ラムの長手方向基準軸に沿って該注入器筐体の内部および外部に移動可能である駆動ラムと、
該筐体に連結され、かつ
第１の弓状表面を備える第１のシリンジクランプと、
第２の弓状表面を備える第２のシリンジクランプと、
シリンジを係合する閉鎖位置とシリンジを係脱する開放位置との間で、該第１および第２のシリンジクランプの各々を作動するように構成されるレバーであって、該レバーは、第１および第２のレバー位置の間で、該第１および第２のシリンジクランプの各々に対して移動可能である、レバーと
を備えるシリンジ装着具と
を備え、該第１および第２のシリンジクランプは相互に反対の関係にあり、それにより、該第１の弓状表面が該第２の弓状表面に対向し、該第１および第２のシリンジクランプは、それらの間に位置するシリンジを係合および係脱するために、相互に向かって、および相互から離隔して、反対線形方向に平行移動し、該レバーを該第１のレバー位置に移動することは、該第１および第２のシリンジクランプの各々を該シリンジを係脱する開放位置に線形に移動し、該レバーを該第２のレバー位置に移動することは、該第１および第２のシリンジクランプの各々を該シリンジを係合する閉鎖位置に線形に移動する、
前部装填式造影剤注入器。
【請求項２】
開口部は、シリンジのプランジャを前記駆動ラムと整列するために、前記第１のシリンジクランプと前記第２のシリンジクランプとの間で画定される、請求項１に記載の注入器。
【請求項３】
前記第１および第２のシリンジクランプの各々は、Ｃ形クランプを備える、請求項１または２に記載の注入器。
【請求項４】
前記第１および第２のシリンジクランプは、シリンジの円周部分の周りで開放および閉鎖するように構成される、請求項１から３のいずれかに記載の注入器。
【請求項５】
前記第１および第２のシリンジクランプがシリンジの円周部分の周囲で閉鎖される場合に、該第１および第２のシリンジクランプは相互に接触する、請求項４に記載の注入器。
【請求項６】
前記第１および第２のシリンジクランプは、前記駆動ラムが自身に沿って移動可能である前記長手方向基準軸に直角の線に沿ったレバーの作動によって、線形に移動される、請求項１から５のいずれかに記載の注入器。
【請求項７】
前記シリンジ装着具は、レールを備え、前記第１および第２のシリンジクランプは、前記シリンジを係合する閉鎖位置と前記シリンジを係脱する開放位置との間で該レールに沿って移動する、請求項１に記載の注入器。
【請求項８】
前記注入器筐体から離隔して外側に延出する細長いシリンジ支持部をさらに備える、請求項１から７のいずれかに記載の注入器。
【請求項９】
前記シリンジ装着具は、前記注入器の取り外し可能な面板の構成要素である、請求項１から８のいずれかに記載の注入器。
【請求項１０】
前記シリンジ装着具は、前記注入器筐体と実質的に一体的である、請求項１から８のいずれかに記載の注入器。
【請求項１１】
前記シリンジ装着具は、前記注入器の元のシリンジ装着具を、該元のシリンジ装着具が収容するように元々設計されていなかったシリンジを収容するように少なくとも一時的に適合させるための、アダプタの構成要素である、請求項１から８のいずれかに記載の注入器。
【請求項１２】
前記第１のシリンジクランプと前記第２のシリンジクランプとの間に配置されるシリンジをさらに備える、請求項１から１１のいずれかに記載の注入器。
【請求項１３】
前記シリンジ内に配置される造影剤、生理食塩水、またはそれらの組み合わせをさらに備える、請求項１２に記載の注入器。
【請求項１４】
自動造影剤注入器を使用する方法であって、該方法は、
シリンジ装着システムを開放状態に設定することを含む第１の設定するステップを実行することであって、該シリンジ装着システムは、第１および第２のシリンジクランプを含み、該第１の設定するステップは、該第１および第２のシリンジクランプを相互から離隔して、線形に移動することを含む、ことと、
該第１のシリンジクランプと第２のシリンジクランプとの間にシリンジの後方部分を配置することであって、該第１および第２のシリンジクランプの各々は弓状表面を備え、該配置するステップは該第１の設定するステップの後に実行される、ことと、
該シリンジ装着システムを閉鎖状態に設定することを含む第２の設定するステップを実行することであって、該第２の設定するステップは、該配置するステップの後に、かつ、該シリンジを該注入器に対して移動させることなく実行され、該第２の設定するステップは、該弓状表面の各々が該シリンジの該後方部分に少なくとも接触するまで、相互に向かって該第１および第２のシリンジクランプを線形に移動することを含む、ことと
を含む、方法。
【請求項１５】
前記第２の設定するステップの実行の後に、前記第１および第２のシリンジクランプを実質的に固定するためにロックを作動すること
をさらに含む、請求項１４に記載の方法。
【請求項１６】
前記シリンジの前記後方端部が前記第１のシリンジクランプと前記第２のシリンジクランプとの間に配置される一方で、前記注入器に前記シリンジのプランジャを移動させること
をさらに含む、請求項１４または１５に記載の方法。
【請求項１７】
前記第２の設定するステップは、前記第１および第２のシリンジクランプが相互に直接接触するまで発生する、請求項１４から１６のいずれかに記載の方法。
【請求項１８】
自動造影剤注入器を使用する方法であって、該方法は、
シリンジの後方部分を該注入器の第１のシリンジクランプと前記第２のシリンジクランプとの間に配置することと、
該第１および第２のシリンジクランプの各々をシリンジを係合する閉鎖位置に平行移動することを含む第１の平行移動するステップを実行することであって、該第１の平行移動するステップは、本質的にレバーを第１の位置にかつ該第１および第２のシリンジクランプの各々に対して移動することからなる、ことと、
該第１および第２のシリンジクランプの各々をシリンジを係脱する開放位置に平行移動することを含む第２の平行移動するステップを実行することであって、該第２の平行移動するステップは、本質的に該レバーを第２の位置にかつ該第１および第２のシリンジクランプの各々に対して移動することからなる、ことと、
該第２の平行移動するステップの後に、該第１のシリンジクランプと該第２のシリンジクランプとの間から該シリンジを移動することと
を含む、方法。
【請求項１９】
前記第１および第２のシリンジクランプの平行移動を可能にするために、クランプロックをロック解除することをさらに含み、該ロック解除することは、該第２の平行移動するステップの前に発生する、請求項１８に記載の方法。
【請求項２０】
前記第１および第２のシリンジクランプは、前記第２の平行移動するステップの前に、相互に直接接触する、請求項１８または１９に記載の方法。
【請求項２１】
前記第１および第２の平行移動するステップの各々は、実質的に側方方向で発生する、請求項１８から２０のいずれかに記載の方法。
【請求項２２】
前記シリンジから造影剤および生理食塩水のうちの少なくとも１つを排出することをさらに含む、請求項１４から２１のいずれかに記載の方法。
【請求項２３】
前記第１および第２の設定するステップの各々は、前記第１および第２のシリンジクランプの各々に対してレバーを移動させることを含む、請求項１４から１７および２２のいずれかに記載の方法。
【国際調査報告】
2011505910.tif 000010
2011505910.tif 000011
2011505910.tif 000012
2011505910.tif 000013
2011505910.tif 000014
2011505910.tif 000015